(57)【要約】【課題】本体内のスペースをできるだけ狭めないように、便座および便蓋を本体に回動自在に取付けるようにしたトイレ装置を提供する。【解決手段】便器２上に設けて使用し、トイレ機能部を内装した本体１と、本体に回転軸１１、１２で支持し、上下方向へ回動自在に設けた便座７および便蓋８とを備え、便座および便蓋の回転軸は異なる位置である本体１の左右の後外側面９と、前外側面１０とにそれぞれ設けたトイレ装置で、本体１の左右の両端部に挟まれた間のスペースを確保して本体内のスペースを効率良く大きくする。【選択図】図３
2008200517.tif 000002
【特許請求の範囲】
【請求項１】
便器上に設けて使用し、トイレ機能部を内装した本体と、前記本体に軸支部で支持し、上下方向へ回動自在に設けた便座の全体と前記本体のすくなくとも上面の一部を覆う便蓋とを備え、前記便座と便蓋の軸支部はそれぞれ異なる位置に設け、前記便蓋の軸支部は前記本体の後側の左右の外側面で、前記便座の軸支部は前記本体の前側を内方へ入り込ませて設けた前外側面に設けたことを特徴とするトイレ装置。
【請求項２】
前記便蓋は閉成時に前記便座の軸支部を覆うように構成したことを特徴とする請求項１に記載のトイレ装置。
【請求項３】
便蓋の軸支部は、便座の軸支部と上下方向で異なる位置に設けたことを特徴とする請求項１または請求項２に記載のトイレ装置。
【請求項４】
便座および便蓋、または便蓋は自動開閉手段を有することを特徴とする請求項１〜請求項３のいずれかに記載のトイレ装置。
【請求項５】
便蓋は外側面を有し、前記外側面における軸支部の軸支外側面を他の外側面より大きく形成したことを特徴とする請求項１〜請求項４のいずれかに記載のトイレ装置。
【請求項６】
便座の軸支部は前記本体の前側の左右両端部間に凸形状部を設けたことを特徴とする請求項１〜５のいずれかに記載のトイレ装置。
【発明の詳細な説明】
【技術分野】
【０００１】
本発明は、用便後の人体局部を洗浄する人体局部洗浄装置、その他等を内装した本体を便器上に設けて使用し、かつ前記本体に便座および便蓋を回動自在に軸支したトイレ装置に関する。
【背景技術】
【０００２】
この種従来のトイレ装置は、図４〜図７に示すような構成を採用している。すなわち、４１は用便後の人体の局部に温水を噴射して洗浄する人体局部洗浄装置、洗浄後の人体局部に温風を当て乾燥させる乾燥装置、便器４２内の臭いを吸着する脱臭装置等（いずれも図示せず）のトイレ機能部を内装した本体で、便器４２の後端部上に横長に設けている。４３は便器４２上に載せた便座で、４４は前記便座４３と便器４２を開閉する便蓋で、前記便蓋４４と便座４３は本体４１の手前において、本体４１と同一面上で並設して前記本体４１に上下方向へ回動自在に設けている。
【０００３】
本体４１は、便座４３および便蓋４４の左右の後端部を軸支するため、図７に示すように両端の突出端部４５を残して間を後方へ下げた凹形部４５ａにして全体として略凹状に形成している。そして、突出端部４５は内側面に階段部４６を設けて上に便蓋４４の回転軸４７を、下に便座４３の回転軸４８をそれぞれ設けて便座４３と便蓋４４との後端部を凹形部４５ａに位置させて回動自在に設けている。４９はトイレ機能部を動作させる操作釦を設けた操作部である。
【０００４】
このような構成のトイレ装置において、本体４１は便座４３と便蓋４４の後端部を配置して便座４３と便蓋４４を回動自在に取付けるため、両端の突出端部４５を残して間を後方へ下げた凹形部４５ａを形成しているので、後方へ下がった分だけ本体４１内のスペースが狭くなり、トイレ機能部等の内装の設計上で気配りをしなければならない。もちろん、前記問題は本体４１内のスペースを充分に確保すれば解決するが、反対に両端の突出端部４５が前へ大きく突き出ることになり、便器４２の後端部上に横に本体４１を配置した時に、用便のため便座４３に跨る用便者が突出端部４５に当らないように配慮しなければならない問題が生じる。
【０００５】
また、便座４３と便蓋４４の後端部は、本体４１の凹形部４５ａ内に嵌めるために他よりも後端部の幅を狭くしなければならなく、設備も含め加工上において複雑になり面倒である。更に、同じ位置で回転軸４７、４８は便蓋４４の回転軸４７が上に位置しているため、便座４３と略同じ大きさの便蓋４４ではあるが、図４に示すように開成した直立時に、それだけ先端部が高くなる。従って、本体４１の後側に手洗い機能付ロータンク（図示せず）を設けて用便後の手洗いを行なう形態のトイレ装置では、直立した便蓋４４の先端部が邪魔にならないように手洗い機能付ロータンク側で設置する際に高さに配慮しなければならなかった。
【発明の開示】
【発明が解決しようとする課題】
【０００６】
前記従来の技術の問題点に鑑み、本発明が解決しようとする課題は、本体内のスペースをできるだけ狭めないように、便座および便蓋を本体に回動自在に取付けるようにしたトイレ装置を提供することにある。
【課題を解決するための手段】
【０００７】
前記目的を達成するために本発明は、便座および便蓋の軸支部を本体の左右の外側面で
、かつ異なる位置にそれぞれ設けたトイレ装置で、前記便蓋の軸支部は前記本体の後側の左右の外側面で、前記便座の軸支部は前記本体の前側を内方へ入り込ませて設けた前外側面に設けたことを特徴とし、本体の左右の両端部に挟まれた間のスペースを確保して本体内のスペースを効率良く大きくできる。
【発明の効果】
【０００８】
本発明は、トイレ機能部を内装した本体におけるスペースを確保して本体内のスペースを効率良く大きくできる。
【発明を実施するための最良の形態】
【０００９】
前記した本発明の目的は、各請求項に記載した構成を実施の形態とすることにより達成できるので、以下には各請求項の構成にその構成による作用を併記し併せて請求項記載の構成のうち説明を必要とする特定用語については詳細な説明を加えて、本発明の実施の形態の説明とする。
【００１０】
本発明の請求項１記載に係る発明は、便器上に設けて使用し、トイレ機能部を内装した本体と、本体に軸支部で支持し、上下方向へ回動自在に設けた便座および便蓋とを備え、便座および便蓋の軸支部は本体の左右の外側面で、かつ異なる位置にそれぞれ設けたトイレ装置で、便座および便蓋の軸支部が同じ位置になく、かつ本体の左右の外側面に位置するから、本体の左右における両端部の間に位置する部分を凹状に窪ませる必要がなくなり、そして軸支部が重ならないから必要以上に本体の左右の外側面の内側への入り込みがなくなり、本体内のスペースを効率良く確保することが可能になる。
【００１１】
請求項２記載に係る発明は、請求項１記載の便座の前記便蓋は閉成時に前記便座の軸支部を覆うように構成したことを特徴とするトイレ装置で、便座の軸支部と便蓋の軸支部が重ならないので、必要以上に本体の左右における外側面の内側への入り込みを少なくできることはもちろん、便座の軸支部が便蓋にカバーされ、不使用時における便座の軸支部分に埃が溜まるのを少なくできる。
【００１２】
請求項３記載に係る発明は、請求項１または請求項２に記載の便蓋の軸支部は、便座の軸支部と上下方向で異なる位置に設けたたトイレ装置で、便蓋は開成した直立時において、軸支部が下方に下がった分だけ先端部の高さが低くなり、本体の後側に手洗い機能付ロータンクを設けて用便後の手洗いを行なう形態のトイレ装置では、開成した便蓋の先端部が少しでも手洗い時の邪魔にならないようにできる。
【００１３】
請求項４記載に係る発明は、請求項１〜請求項３のいずれかに記載の便座および便蓋、または便蓋に自動開閉手段を設けたトイレ装置で、自動開閉手段による便座および便蓋、または便蓋の自動開閉でトイレ装置の使い勝手が良くなる。
【００１４】
請求項５記載に係る発明は、請求項１〜請求項４のいずれかの記載において、便蓋は外側面を有し、その軸支部を中心に前記軸支部の軸支外側面を他の外側面より大きく形成したトイレ装置で、便蓋の軸支部の軸支外側面を他の外側面より大きくすることで補強され、開閉時の回転トルクに対する強度が増して変形を防止できる。
【００１５】
請求項６記載に係る発明は、請求項１〜請求項５のいずれかに記載のトイレ装置で、便座の軸支部は前記本体の前側の左右両端部間に凸形状部を設けたことを特徴とするものである。これにより本体の左右の外側面である前外側面が必要以上の内側への入り込みがなくなり、本体内のスペースを効率良く確保することができる。従って、トイレ機能部等の本体内への内装設計も容易にできるとともに、本体の全体の小型化にも利用できるものである。
【００１６】
以下本発明のトイレ装置の一実施例につき、図面に従い説明する。
【００１７】
（実施例１）
図１は本発明の実施例１におけるトイレ装置の便蓋を開いた状態を示す斜視図で、図２はトイレ装置における便蓋を閉じた後部分を切り欠いて便座と便蓋の軸支部分を示す側面図で、図３はトイレ装置における便蓋の閉じた後部分と本体の一部を切り欠き、かつ一部を透視で示した上面図である。
【００１８】
１は便器２の後端部上に横長に配置して設けた本体で、外郭を構成する底板１ａと上から被せたケース１ｂとの内部に、トイレ機能部である用便後の人体局部に温水を噴射して洗う人体局部洗浄装置３、温水を沸かす温水加熱装置４、洗浄後の人体局部に温風を当て乾燥させる乾燥装置５、便器２内からの臭いを空気とともに吸引して吸着し、清浄化した空気のみをトイレ室へ排気する脱臭装置６を内装している。
【００１９】
７は本体１の手前において便器２上に載せた便座で、８は同じく便蓋で、これら便座７と便蓋８は本体１に上下方向へ回動自在に取付けている。本体１は、本体１内にトイレ機能部等を充分に内装するスペースを確保して、かつ便座７および便蓋８の左右の後端部を回動自在に軸支するため、図３に示すように左右の両端部における外側面の後側をそのまま残して後外側面９と、その前側を内方へやや入り込ませて前外側面１０とを形成し、左右の両端部間に幅広い凸形部１ｃを残して全体として凸形状に構成している。
【００２０】
そして、本体１の後外側面９に便蓋８の軸支部である回転軸１１を、前外側面１０に便座７の軸支部である回転軸１２をそれぞれ設けて便座７と便蓋８との左右の後端部を凸形部１ｃの両側に回動自在に設けている。便座７は後面端部を、本体１の凸形部１ｃを抱き込むように凹状部に形成して軸支腕１３を形成している。
【００２１】
便蓋８は本体１の上面および便座７の全体を覆うとともに、後面を除いた外周に外側面１４を設けて内側に位置する便座７の回転軸１２の部分を覆い、更に軸支部である回転軸１１を設けた軸支外側面１５を補強するため回転軸１１を中心にして他の外側面１４より大きく、かつ厚く形成している。また、便蓋８の軸支部である回転軸１１は、便蓋８を開成して直立させた時に便蓋８の高さ方向における先端部をできるだけ低くなるようにするため、図２に示すように便座７の軸支部である回転軸１２より下方に位置させて後外側面９に設けている。
【００２２】
便蓋８の回転軸１１と便座７の回転軸１２は、本体１の左右の前外側面１０が必要以上に内側へ入り込まないようにするため、それぞれが重ならないように後外側面９と前外側面１０とに互いに位置を異ならせて配置している。便座７および便蓋８は、電動モータおよびギア等で構成した自動開閉手段１６を備えている。自動開閉手段１６は本体１に内装し、用便者等の操作により作動し、回転軸１１を介して便蓋８、そして回転軸１２を介して便座７をそれぞれ開閉する。
【００２３】
１７は本体１の中央部に設け、トイレ機能部等の通電を主たる表示とする表示部で、１８は本体１の左外側部に設け、トイレ機能部等の動作および停止、温度設定等を主として行なうスイッチ釦を有する操作部である。
【００２４】
上記実施例において、トイレ装置は不使用時にあっては便蓋８が閉じている。この便蓋８は、用便者のスイッチ操作により自動開閉手段１６が作動し、図１のように開成される。そして、トイレ機能部の使用は次のようにして行なわれる。便座７に用便者が着座した信号を取り込んで脱臭装置６は作動し、便器２内の臭いを吸引する。用便後は、温水加熱
装置４、人体局部洗浄装置３、乾燥装置５を動作させ、人体局部を洗浄するとともに、濡れた人体局部が温風で乾燥される。その後は、再び温水加熱装置４、人体局部洗浄装置３、乾燥装置５の動作を停止させるとともに、着座信号がなくなれば脱臭装置６も停止する。そして、自動開閉手段１６を作動させ、便蓋８を閉じるものである。
【００２５】
このように本実施例では、便座７の軸支部である回転軸１２を本体１の左右の前外側面１０に、便蓋８の軸支部である回転軸１１を本体１の左右の後外側面９にそれぞれ設けて便座７および便蓋８の軸支部が同じ位置になく、かつ本体１の左右の外側面に位置するから、本体１は従来技術のように本体の左右における両端部の間に位置する部分を凹状に窪ませるのではなく、そのまま残した凸形部１ｃに形成し、しかも回転軸１１、１２が前後にずれて重ならないため本体１の左右の外側面である前外側面１０が必要以上の内側への入り込みがなくなり、本体内のスペースを効率良く確保することができる。従って、トイレ機能部等の本体１内への内装設計も容易にできるとともに、本体１の全体の小型化にも利用できるものである。
【００２６】
また本実施例では、便座７の軸支部である回転軸１２を、便蓋８の軸支部である回転軸１１よりも内側に配置し、かつ便蓋８の閉じている時の外側面１４により便座７の回転軸１２をカバーしているので、便座７の軸支部と便蓋８の軸支部が重ならず、本体１の左右における前外側面１０の必要以上の内側への入り込みを少なくできるとともに、便座７の回転軸１２部分が外から見えなくなり、不使用時における便座７の軸支部分に埃が溜まるのを防止できる。従って、便座７は長期に亘り回動を円滑に維持できる。
【００２７】
更に本実施例では、便蓋８の軸支部である回転軸１１を、便座７の軸支部である回転軸１２より上下方向において下方に設けているので、便蓋８が本体１の上面も覆っているため少し便座７のより長いけれども、便蓋８は開成した直立時において、回転軸１１が下方に下がった分だけ先端部の高さを低くできる。従って、本体１の後側に手洗い機能付ロータンク（図示せず）を設けて用便後の手洗いを行なう形態のトイレ装置では、開成した便蓋８の先端部が少しでも手洗い時の邪魔にならないようにでき、大変使い勝手を良くできる。
【００２８】
更に本実施例では、自動開閉手段１６により便座７および便蓋８の自動開閉ができるから、トイレ装置の使い勝手を良くできる。
【００２９】
更に本実施例では、便蓋８は軸支部である回転軸１１の軸支外側面１５を他の外側面１４より、回転軸１１を中心にして大きくして補強しているので、便蓋８の開閉時の回転トルクに対する強度が増して変形を防止できるとともに、長期に亘り回動を円滑に維持できる。
【００３０】
なお、上記実施例では自動開閉手段１６を、便座７および便蓋８にそれぞれ設けたが、便蓋８のみに設けても良い。また、自動開閉手段１６は、用便者のトイレ室への入室および退室を検知する人体検知手段の信号に基き、自動開閉の作動をするようにしても良い。
【図面の簡単な説明】
【００３１】
【図１】本発明の実施例１におけるトイレ装置の便蓋を開いた状態を示す斜視図
【図２】同トイレ装置における便蓋の閉じた後部分を切り欠いて便座と便蓋の軸支部分を示す側面図
【図３】同トイレ装置における便蓋の閉じた後部分と本体の一部を切り欠き、かつ一部を透視で示した上面図
【図４】従来の技術におけるトイレ装置の便蓋を開いた状態を示す斜視図
【図５】同トイレ装置の便蓋と便座の軸支部分を示す拡大斜視図
【図６】同トイレ装置の上面図
【図７】同トイレ装置の便座と便蓋を外した本体部分を示す上面図
【符号の説明】
【００３２】
１  本体
１ｃ  凸形部
２  便器
７  便座
８  便蓋
９  後外側面
１０  前外側面
１１、１２  回転軸
１４  外側面
１５  軸支外側面
１６  自動開閉手段
【図１】
2008200517.tif 000003
【図２】
2008200517.tif 000004
【図３】
2008200517.tif 000005
【図４】
2008200517.tif 000006
【図５】
2008200517.tif 000007
【図６】
2008200517.tif 000008
【図７】
2008200517.tif 000009